(57)【要約】  【課題】傾斜端面を有するフレーム同士を、簡単な構造及び操作を通じて的確に連結することを可能にするフレーム連結構造を提供する。  【解決手段】一対のフレーム１、２の間を、コーナー連結部材３を介して所定角度に連結するに際して、フレーム１、２に、長手方向に対して傾斜した傾斜端面１１、２１を設け、コーナー連結部材３に、各フレーム１、２の長手方向に対して傾斜した傾斜端面３１ａ、３１ｂを設ける。そして、フレーム１、２とコーナー連結部材３の間に、フレーム１、２の長手方向に沿って対応する傾斜端面１１、３１ａ同士、２１、３１ｂ同士を密着させる方向の締め付け力を作用させる締め付け手段４と、その締め付け力によりフレーム１、２及びコーナー連結部材３が傾斜端面１１、３１ａ、２１、３１ｂを介して長手方向と直交する方向へ相対変位した際に両者の一部を当接させて所定位置に位置決めする位置決め手段５とを構成することとした。  【選択図】図８
2005163303.tif 000002
【特許請求の範囲】
【請求項１】
一対のフレーム間を、コーナー連結部材を介して所定角度に連結するためのものであって、
フレームに、長手方向に対して傾斜した傾斜端面を設け、コーナー連結部材に、各フレームの長手方向に対して傾斜した傾斜端面を設けるとともに、
フレームとコーナー連結部材の間に、フレームの長手方向に沿って対応する傾斜端面同士を密着させる方向の締め付け力を作用させる締め付け手段と、その締め付け力によりフレーム及びコーナー連結部材が傾斜端面を介して長手方向と直交する方向へ相対変位した際に両者の一部を当接させて所定位置に位置決めする位置決め手段とを構成してなることを特徴とするフレーム連結構造。
【請求項２】
一対のフレーム間を、コーナー連結部材を介して直角に連結するためのものであって、
フレームに、長手方向に対して４５度に傾斜した傾斜端面を設け、コーナー連結部材に、各フレームの長手方向に対して４５度に傾斜した傾斜端面を設けるとともに、
フレームとコーナー連結部材の間に、フレームの長手方向に沿って対応する傾斜端面同士を密着させる方向の締め付け力を作用させる締め付け手段と、その締め付け力によりフレーム及びコーナー連結部材が傾斜端面を介して長手方向と直交する方向へ相対変位した際に両者の一部を当接させて所定位置に位置決めする位置決め手段とを構成してなるフレーム連結構造。
【請求項３】
フレームが、傾斜端面に開口する空洞を備え、コーナー連結部材が、傾斜端面より突出して前記空洞に挿入可能な突起を備え、位置決め手段が、突起の外表面の一部と空洞の内表面の一部とによって構成されている請求項１又は２記載のフレーム連結構造。
【請求項４】
突起が、空洞に嵌合可能なものである請求項３記載のフレーム連結構造。
【請求項５】
コーナー連結部材が、薄板状の張り出し片の両面から一対の突起を互いに直交方向に突出させたものであり、前記張り出し片の両面をコーナー連結部材の傾斜端面としている請求項１〜４記載のフレーム連結構造。
【請求項６】
連結状態で、少なくともフレームの傾斜端面と直交する前面同士がコーナー連結部材の張り出し片の前面を含めて略面一に連続する請求項５記載のフレーム連結構造。
【請求項７】
連結状態で、フレームの前面と直交する側面同士がコーナー連結部材の張り出し片の側面を含めて直角に折れ曲がりながら略面一に連続する請求項６記載のフレーム連結構造。
【請求項８】
締め付け手段が、フレームをコーナー連結部材側に引き寄せるねじ要素を具備する請求項１〜７記載のフレーム連結構造。
【請求項９】
締め付け手段が、一方のフレームの長手方向に沿ってコーナー連結部材に挿入されて当該一方のフレームにねじ込まれる第１ねじ要素と、他方のフレームの長手方向に沿ってコーナー連結部材に挿入されて当該他方のフレームにねじ込まれる第２ねじ要素とを具備する請求項８記載のフレーム連結構造。
【請求項１０】
第１、第２ねじ要素のうち先にねじ込まれるねじ要素は、後にねじ要素がねじ込まれるフレームによって隠蔽される請求項９記載のフレーム連結構造。
【請求項１１】
第１、第２ねじ要素のうち先にねじ込まれるねじ要素は、その頭部が後にねじ込まれるねじ要素のねじ込み時に通過すべき領域を越えた位置に位置づけられる請求項９又は１０記載のフレーム連結構造。
【請求項１２】
請求項１〜１１記載のフレーム連結構造を構成するフレーム及びコーナー連結部材を一対の縦枠材、一対の横枠材、及び四隅に配置されるコーナー連結部材として用いることにより構成されることを特徴とする枠体。
【請求項１３】
請求項１〜１１記載のフレーム連結構造を構成するフレーム及びコーナー連結部材を一対の脚柱、両脚柱間を連結する横架材、及び横架材と各脚柱との間に配置されるコーナー連結部材として用いることにより構成されることを特徴とする脚体。
【請求項１４】
請求項１〜１１記載のフレーム連結構造を構成するフレーム及びコーナー連結部材を用いることにより構成されることを特徴とする接合体。
【請求項１５】
請求項１〜１１記載のフレーム連結構造を構成するフレーム及びコーナー連結部材を一対の縦枠材、一対の横枠材、及び四隅に配置されるコーナー連結部材として用い、枠体を構成してなることを特徴とする家具。
【請求項１６】
請求項１〜１１記載のフレーム連結構造を構成するフレーム及びコーナー連結部材を一対の脚柱、両脚柱間を連結する横架材、及び横架材と各脚柱との間に配置されるコーナー連結部材として用い、脚体を構成してなることを特徴とする家具。
【請求項１７】
請求項１〜１１記載のフレーム連結構造を構成するフレーム及びコーナー連結部材を用い、接合部を構成してなることを特徴とする家具。
【発明の詳細な説明】
【技術分野】
【０００１】
本発明は、傾斜端面を有するフレーム同士を所定角度で適切に連結するためのフレーム連結構造及びこれを利用して構成される枠体、脚体、接合体及び家具に関するものである。
【背景技術】
【０００２】
例えば、フレーム連結構造として、特許文献１に示されるものがある。このものは、一対のフレーム間を、コーナー連結部材を介して直角に連結するものであり、空洞を有するフレームに長手方向に対して４５度に傾斜した傾斜端面を設け、コーナー連結部材の張り出し板部から直交方向に突出させた脚部に各フレームの長手方向に対して４５度に傾斜した傾斜端面を設けている。そして、各脚部を各々対応するフレームの空洞に挿入し、その状態でフレームと脚部とをねじ止めにより直角状に結合することによって、矩形枠状の扉用フレームを構成している。
【特許文献１】特開平１０−１９６２３７号公報
【発明の開示】
【発明が解決しようとする課題】
【０００３】
ところが、かかる連結構造は、脚部の挿入方向と直交する方向に沿って、フレームの背面から挿入したねじを脚部にねじ込んで固定するものである。このため、フレームのねじ挿通孔及び脚部のねじ孔とねじとの交差に基づく組付け誤差、あるいは孔の加工誤差等に起因して、位置決め精度が低下し易く、連結強度不足や外観の毀損等を招き易いという問題がある。仮に、寸法管理を徹底して加工精度を上げることができたとしても、かかる連結構造の下では、コーナー連結部材の張り出し板の端面とフレームの端面とを密着させるものではないため、一定以上の強連結状態を実現することは困難であり、平行四辺形に歪み易いといった不具合も抱えるものである。また、これを防ぐために、固定ビスの数量を多くすると、ビスが随所において露出することによる外観の低下を更に招くこととなる。
【０００４】
本発明は、このような課題に着目してなされたものであって、傾斜端面を有するフレーム同士を、簡単な構造及び操作を通じて的確に連結することを可能にするフレーム連結構造及びこれにより構成される枠体、脚体、接合体及び家具を提供することを目的としている。
【課題を解決するための手段】
【０００５】
本発明は、かかる目的を達成するために、次のような手段を講じたものである。
【０００６】
すなわち、本発明のフレーム連結構造は、一対のフレーム間を、コーナー連結部材を介して所定角度に連結するに際して、フレームに、長手方向に対して傾斜した傾斜端面を設け、コーナー連結部材に、各フレームの長手方向に対して傾斜した傾斜端面を設けるようにする。そして、フレームとコーナー連結部材の間に、フレームの長手方向に沿って対応する傾斜端面同士を密着させる方向の締め付け力を作用させる締め付け手段と、その締め付け力によりフレーム及びコーナー連結部材が傾斜端面を介して長手方向と直交する方向へ相対変位した際に両者の一部を当接させて所定位置に位置決めする位置決め手段とを構成してなることを特徴とする。
【０００７】
上記の構造において、締め付け手段による締め付け力が作用し、これによりフレーム及びコーナー連結部材の傾斜端面同士が近づく方向へ動作すると、その動作の一部は傾斜端面を介してフレームの長手方向と直交する方向の相対変位に変換され、所定位置において位置決め手段が両者の一部を係り合わせることにより位置決めを行う。そして、その位置において以降加えられる締め付け力によって、傾斜端面同士が最終的に強く密着し、連結が完了することとなる。
【０００８】
具体的な実施の態様としては、傾斜端面に４５度の傾斜を付与してフレーム同士を直角に連結するもの等が挙げられる。
【０００９】
好ましい実施の態様としては、フレームが、傾斜端面に開口する空洞を備え、コーナー連結部材が、傾斜端面より突出して前記空洞に挿入可能な突起を備え、位置決め手段が、突起の外表面の一部と空洞の内表面の一部とによって構成されるものが挙げられる。
【００１０】
突起は、空洞に嵌合可能なものであることが望ましい。
【００１１】
外観を良好に保つためには、コーナー連結部材が、薄板状の張り出し片の両面から一対の突起を互いに直交方向に突出させ、前記張り出し片の両面をコーナー連結部材の傾斜端面としていることが好ましい。
【００１２】
この場合、連結状態におけるコーナー部分の外観を有効に整えるためには、少なくともフレームの傾斜端面と直交する前面同士をコーナー連結部材の張り出し片の前面を含めて略面一に連続させておく態様や、フレームの前面と直交する側面同士をコーナー連結部材の張り出し片の側面を含めて直角に折れ曲がりながら略面一に連続させておく態様が有効である。
【００１３】
締め付け手段としては、フレームをコーナー連結部材側に引き寄せるねじ要素を具備するものが好適である。
【００１４】
特に、締め付け手段は、一方のフレームの長手方向に沿ってコーナー連結部材に挿入されて当該一方のフレームにねじ込まれる第１ねじ要素と、他方のフレームの長手方向に沿ってコーナー連結部材に挿入されて当該他方のフレームにねじ込まれる第２ねじ要素とを具備しているものが望ましい。
【００１５】
外観をより良好なものにするためには、第１、第２ねじ要素のうち先にねじ込まれるねじ要素が、後のねじ要素がねじ込まれるフレームによって隠蔽される構造をなしていることが好ましい。
【００１６】
ねじ要素同士の干渉を有効に回避するためには、第１、第２ねじ要素のうち先にねじ込まれるねじ要素の頭部を、後にねじ込まれるねじ要素のねじ込み時に通過すべき領域を越えた位置に位置づけておくことが望ましい。
【００１７】
以上のようなフレーム連結構造は、フレーム及びコーナー連結部材を一対の縦枠材、一対の横枠材、及び四隅に配置されるコーナー連結部材として用い、枠体や当該枠体を有する家具を構成したり、フレーム及びコーナー連結部材を一対の脚柱、両脚柱間を連結する横架材、及び横架材と各脚柱との間に配置されるコーナー連結部材として用い、脚体や当該脚体を有する家具を構成する場合等に好適となる。また、これら以外にも、フレーム連結構造を構成するフレーム及びコーナー連結部材を用いて接合体やこれに準じた接合部を有する家具を構成する場合等にも好適となる。
【発明の効果】
【００１８】
本発明は、以上説明した構成により、傾斜端面を有するフレーム同士を、簡単な構造及び操作を通じて的確に連結することを可能にしたフレーム連結構造及びこれにより構成される枠体、脚体、接合体及び家具を有効に提供することができる。
【発明を実施するための最良の形態】
【００１９】
以下、本発明の一実施形態を、図面を参照して説明する。
【００２０】
図１は本実施形態のフレーム連結構造が適用された家具である引き戸式の収納庫を示している。この収納庫は、一対の縦枠材ｘ１となるフレーム１及び一対の横枠材ｘ２となるフレーム２の間を、四隅にコーナー連結部材３を配置して直角に連結し、収納庫に付帯する引き戸の枠体Ｘを構成したものである。図２は図１の正面視左上コーナー部分のコーナー連結部材３及びその周辺を示す斜視図、図３はその組付け手順を示す図、図４は図３におけるＩＶ−ＩＶ線断面図、図５は同Ｖ−Ｖ線部分断面図、図６は同ＶＩ−ＶＩ線断面図、図７は同ＶＩＩ−ＶＩＩ線部分断面図である。また、図８は組付け状態における同コーナー部分の正断面図である。
【００２１】
具体的に説明すると、前記フレーム１、２はアルミ押し出し材Ａを所要長さに切断してなるもので、アルミ押し出し材は、図５及び図７に示すように、前壁ａ１、後壁ａ２、外側壁ａ３及び内側壁ａ４によって内側に閉じた空間を形成し、更に前壁ａ１と後壁ａ２の内法間に中間壁ａ５を設けて、前記空間を内側空洞ａ６と外側空洞ａ７に略２分している。内側壁ａ４の一部には外側壁ａ３側に凹む溝ａ８が設けてあり、この溝ａ８に引き戸を構成する面板ｐ（図１参照）の縁部を差し込んで保持するようにしている。また、中間壁ａ５に押し出し方向に沿って延びる部分円筒部ａ９を設け、この部分円筒部ａ９にねじ孔ａ１０を形成している。このようにしてなるフレーム１、２の端部には、図３に示すように、長手方向に対して４５度に切断した傾斜端面１１、２１が設けてある。
【００２２】
一方、コーナー連結部材３は、アルミダイキャスト製のもので、図２〜図７に示すように、薄板状の張り出し片３１の両面から一対の突起３２、３３を互いに直交方向に突出させた形態をなす。張り出し片３１は、直交するフレーム１、２の各々の長手方向に対して４５度の角度をなし、従って張り出し片３１の一方の傾斜端面３１ａが一方のフレーム１の傾斜端面１１と平行をなし、他方の傾斜端面３１ｂが他方のフレーム２の傾斜端面２１と平行をなす関係にある。本実施形態では、直角二等辺三角形状をなす部材本体３０の斜面３０ａから一方の突起３２が、また等辺３０ｂの一方から他方の突起３３が、それぞれ突出するとともに、前記斜面３０ａに張り出し片３１を剛接した構造をなす。但し、突起３２、３３と張り出し片３１とを一体成形しても勿論構わない。一方の突起３２は、対応するフレーム１の内側空洞ａ６に比較的緊密に嵌合可能な断面形状及び位置に設定され、他方の突起３３は、対応するフレーム２の外側空洞ａ７に比較的緊密に嵌合可能な断面形状及び位置に設定される。また、それらの嵌合状態において、図２に示すように、張り出し片３１の前面３１ｃ及び外側面３１ｄがフレーム１、２の前面１２、２２及び外側面１３、２３と略面一となるよう、突起３２、３３からの張り出し片３１の張り出し寸法を規定している。ここに、フレーム１，２の前面１２，２２とはこれに用いられているアルミ押し出し材Ａの前壁ａ１の表面を指し、フレーム１，２の外側面１３、２３とはこれに用いられているアルミ押し出し材Ａの側壁ａ３の表面を指す。また、張り出し片３１の前面３１ｃ及び外側面３１ｄとは、前記フレーム１，２の前面１２、２２及び外側面１３，２３にそれぞれ隣接する面をいう。
【００２３】
そして、フレーム１、２とコーナー連結部材３の間に、フレーム１、２の長手方向に沿って当該フレーム１、２及びコーナー連結部材３の対応する傾斜端面１１、３１ａ同士、或いは傾斜端面２１、３１ｂ同士を密着させる方向の締め付け力を作用させる締め付け手段４と、その締め付け力によりフレーム１、２及びコーナー連結部材３が傾斜端面１１、３１ａを介して、或いは傾斜端面２１、３１ｂを介して長手方向と直交する方向へ相対変位した際に両者の一部を当接させて所定位置に位置決めする位置決め手段５とを設けている。
【００２４】
締め付け手段４は、図３及び図８に示すように、前記フレーム１、２に設けた前記ねじ孔ａ１０と、このねじ孔ａ１０の対応部位においてコーナー連結部材３に設けた座繰り４１ａ、４２ａを有するねじ挿通孔４１、４２と、ねじ挿通孔４１、４２から挿通されてフレーム１、２の対応するねじ孔ａ１０にねじ込まれる第１、第２ねじ要素ｖ１、ｖ２とから構成される。
【００２５】
具体的には、第１ねじ要素ｖ１は、一方のフレーム１の長手方向に沿ってコーナー連結部材３のねじ挿通孔４１に挿入されて、当該一方のフレーム１のねじ孔ａ１０にねじ込まれるものであり、第２ねじ要素ｖ２は、他方のフレーム２の長手方向に沿ってコーナー連結部材３のねじ挿通孔４２に挿入されて、当該他方のフレーム２のねじ孔ａ１０にねじ込まれるものである。
【００２６】
本実施形態において、先にねじ込まれるのは第２ねじ要素ｖ２であり、先に他方のフレーム２の傾斜端面２１を張り出し片３１の傾斜端面３１ｂに当接させて、当該他方のフレーム２とコーナー連結部材３とを第２ねじ要素ｖ２により結合する。しかる後、フレーム１の傾斜端面１１を張り出し片３１の傾斜端面３１ａに当接させて、当該一方のフレーム１とコーナー連結部材３の突起３２とを結合する。しかして、フレーム１の傾斜端面１１を張り出し片３１の傾斜端面３１ａに当接させた際、先にねじ込んだ第２ねじ要素ｖ２がフレーム１によって隠蔽されるようにしている。
【００２７】
なお、後にねじ込まれる第１ねじ要素ｖ１を導入するために、フレーム２の外側壁２３には前記ねじ挿通孔４１の対応部位にねじ挿通孔２３ａが設けてある。すなわち、この実施形態においてコーナー部分に露出するのはこのねじ挿通孔２３ａだけである。
【００２８】
また、この実施形態において、ねじ挿通孔４１、４２は途中で交差しているが、先にねじ込まれる第２ねじ要素ｖ２は、その頭部を含めて後にねじ込まれる第１ねじ要素ｖ１のねじ込み時に通過すべき領域を越えた位置までねじ込まれるように、ねじ挿通孔４２の座繰り４２ａを交差部分よりも奥方に形成している。ねじ挿通孔４１の座繰り４１ａは交差部分よりも手前に位置している。したがって、分解する際は先に第１ねじ要素ｖ２を外し、しかる後、第２ねじ要素ｖ１を外すこととなる。
【００２９】
一方、位置決め手段５は、フレーム１側にあっては突起３２の外表面の一部と内側空洞ａ６の内表面の一部とによって構成され、フレーム２側にあっては突起３３の外表面の一部と外側空洞ａ７の内表面の一部とによって構成されている。
【００３０】
具体的に説明すると、締め付け手段４を構成する第１ねじ要素ｖ１を締め付けると、フレーム１は図３において矢印ｗ１で示す方向に引き付けられ、これにより傾斜端面１１、３１ａを介してコーナー連結部材３に対し図中左方へ相対変位する動作を引き起こす。すなわち、フレーム１が相対的に左方へ、コーナー連結部材３が相対的に右方へ変位すると、図３及び図５に示すように、フレームの内側壁１４側の内表面１４ａと、コーナー連結部材３の突起３２の対応する外表面３２ａとが当接する。また、締め付け手段４を構成する第２ねじ要素ｖ２を締め付けると、フレーム２は図３において矢印ｗ２で示す方向に引き付けられ、これにより傾斜端面２１、３１ｂを介してコーナー連結部材３に対し図中上方へ相対変位する動作を引き起こす。すなわち、フレーム２が相対的に上方へ、コーナー連結部材３が相対的に下方へ変位すると、図３及び図７に示すように、フレームの部分円筒部ａ９の外周に位置する内表面ａ９ｘと、コーナー連結部材３の突起３３の対応する外表面３３ａとが当接する。この外表面３３ａは前記部分円筒部ａ９に沿って凹状に湾曲している。
【００３１】
なお、図３の紙面に垂直な方向への位置決めは、突起３２とフレーム１の空洞ａ６との嵌合によって、また突起３３とフレーム２の空洞ａ７との嵌合によって、それぞれ行うようにしてある。
【００３２】
以上のように、本実施形態のフレーム連結構造は、一対のフレーム１、２の間を、コーナー連結部材３を介して所定角度に連結するためのものであり、フレーム１、２に、長手方向に対して傾斜した傾斜端面１１、２１を設け、コーナー連結部材３に、各フレーム１、２の長手方向に対して傾斜した傾斜端面３１ａ、３１ｂを設けたものである。そして、フレーム１、２とコーナー連結部材３の間に、フレーム１、２の長手方向に沿って対応する傾斜端面１１、３１ａ同士、２１、３１ｂ同士を密着させる方向の締め付け力を作用させる締め付け手段４と、その締め付け力によりフレーム１、２及びコーナー連結部材３が傾斜端面１１、３１ａ、２１、３１ｂを介して長手方向と直交する方向へ相対変位した際に両者の一部を当接させて所定位置に位置決めする位置決め手段５とを構成したものである。
【００３３】
すなわち、かかる構造において、締め付け手段４による締め付け力が作用し、これによりフレーム１、２及びコーナー連結部材３の傾斜端面１１、３１ａ同士、２１、３１ｂ同士が近づく方向へ動作すると、その動作の一部は傾斜端面１１、３１ａ、２１、３１ｂを介してフレーム１、２の長手方向と直交する方向の相対変位に変換され、所定位置において位置決め手段５が両者の一部を係り合わせることにより位置決めを行う。そして、その位置において以降加えられる締め付け力によって、傾斜端面１１、３１ａ同士、２１、３１ｂ同士が最終的に強く密着し、連結が完了することとなる。
【００３４】
したがって、本実施形態によれば、傾斜端面１１、３１ａ同士、２１、３１ｂ同士をフレーム１、２の長手方向に強連結することができ、また位置決め手段５がフレーム１、２とコーナー連結部材３の一部を直接当接させるため、ねじ等の別部材を介して間接的に位置決めする場合に比べて、位置決め精度を簡単に向上させることができる。また、これにより組付け誤差も排除することができ、寸法管理も便ならしめることができる。特に、フレーム１、２の傾斜端面１１、２１はコーナーにおけるフレーム１、２同士の突き合わせに必要なものであり、本実施形態はこのような傾斜端面１１、２１を好適に利用して構成できる点で有益なものとなる。
【００３５】
特に、本実施形態の連結構造は、傾斜端面１１、２１に４５度の傾斜を付与してフレーム１、２同士を直角に連結するものであるため、フレーム１、２の何れに対しても均等な連結作用を得て、縦枠材ｘ１及び横枠材ｘ２からなる枠体に歪みのない適切な組付け精度と剛性を出すことができる。
【００３６】
具体的な構造として、フレーム１、２は、傾斜端面１１、２１に開口する空洞ａ６、ａ７を備え、コーナー連結部材３が、傾斜端面１１、２１より突出して前記空洞ａ６、ａ７に挿入可能な突起３２，３３を備え、位置決め手段５が、突起３２、３３の一部の外表面３２ａ、３３ａと空洞ａ６、ａ７の一部の内表面１４ａ、ａ９ｘとによって構成されている。
【００３７】
このため、突起３２、３３と空洞ａ６、ａ７の呑み込み構造によって、適度な深さの連結を容易に実現することができるとともに、位置決め手段５が両者の表面３２ａ、１４ａ同士、３３ａ、ａ９ｘ同士を当接させて位置決めするため、外観を毀損せずに適切な位置決め機能を発揮させることが可能となる。
【００３８】
とりわけ、突起３２、３３は、空洞ａ６、ａ７に嵌合可能なものであるため、突起３２、３３の肉厚を極力確保して有効にその強度を高めることができる。
【００３９】
また、コーナー連結部材３が、薄板状の張り出し片３１の両面３１ａ、３１ｂから一対の突起３２、３３を互いに直交方向に突出させたものであり、前記張り出し片３１の両面３１ａ、３１ｂをコーナー連結部材３の傾斜端面としているため、フレーム１、２間に介在させるコーナー連結部材３の外部からの見え掛かりを極力小さく抑えつつ、両フレーム１、２の傾斜端面１１、２１に対応する一対の傾斜端面３１ａ、３１ｂをコーナー連結部材３に有効に確保することができる。
【００４０】
さらに、その連結状態で、少なくともフレーム１、２の傾斜端面１１、２１と直交する前面１２、２２同士がコーナー連結部材３の張り出し片３１の前面３１ｃを含めて略面一に連続させてあり、また、フレーム１の前面１２、２２と直交する側面１３、２３同士がコーナー連結部材３の張り出し片３１の側面３１ｄを含めて直角に折れ曲がりながら略面一に連続させてあるため、連結部分の前面側や側面側の外観を良好に保つことができる。
一方、本実施形態の連結構造を実現する締め付け手段４は、フレーム１、２をコーナー連結部材３側に引き寄せるねじ要素ｖ１、ｖ２を具備するものであるため、ねじの有する引き込み作用及びセルフロック機能を利用して、確実に締め付け力を導入し、また締め付けた状態を維持することができる。
【００４１】
特に、締め付け手段４が、一方のフレーム１の長手方向に沿ってコーナー連結部材３に挿入されて当該一方のフレーム１にねじ込まれる第１ねじ要素ｖ１と、他方のフレーム２の長手方向に沿ってコーナー連結部材３に挿入されて当該他方のフレーム２にねじ込まれる第２ねじ要素ｖ２とを具備するため、フレーム１、２の長手方向に沿って所要のねじ込み量を与えることができ、有効な締め付け力を簡単に確保することができる。
【００４２】
とりわけ、第１、第２ねじ要素ｖ１、ｖ２のうち先にねじ込まれるねじ要素ｖ２は、後のねじ要素ｖ１がねじ込まれるフレーム１によって隠蔽される構造であるため、ねじ要素を導入するために外部に露出するねじ挿通孔を第１ねじ要素ｖ１のねじ挿通孔２３ａのみにして、連結部分の外観向上に資することができる。
【００４３】
さらに、第１、第２ねじ要素ｖ１、ｖ２のうち先にねじ込まれるねじ要素ｖ２は、その頭部が後にねじ込まれるねじ要素ｖ１のねじ込み時に通過すべき領域を越えた位置に位置づけられるようにしているため、ねじ要素同士の干渉を的確に回避することができる。
【００４４】
そして、本実施形態の枠体ｘや当該枠体ｘを引き戸に採用した収納庫を、本発明のフレーム１、２及びコーナー連結部材３からなるフレーム連結構造によって好適に構成することができる。
【００４５】
なお、各部の具体的な構成は、上述した実施形態のみに限定されるものではない。
【００４６】
例えば、前記突起はともに外側空洞に挿入されても、内側空洞に挿入されても構わない。あるいは、図９に示すように、フレーム１０１、１０２の内部に仕切りのない単一の空洞ａ１００を設けて、この空洞ａ１００内全域に、コーナー連結部材１０３に設けた突起１３２、１３３を嵌合させるようにしてもよい。図において符号１３０ｘで示すものはフレーム１０１、１０２の傾斜端面１１１、１２１とコーナー連結部材１０３の傾斜端面１３０ａ、１３０ｂとを相対摺動させた際にフレーム１０１、１０２の内表面と当接して両者の相対位置を規定する補助突起であり、本発明の位置決め手段１０４を構成するものである。また、同図に示すように、第１、第２ねじ要素を挿通するためのねじ挿通孔１４１，１４２は、ともに他方のねじ要素のねじ込み時に邪魔にならないように互いに相手方の通過領域を越えた位置まで頭部をねじ込める位置に座繰り１４１ａ、１４２ａを形成しておくようにしてもよい。このようにすれば、一対のねじ要素の着脱手順の間に先後の制約がなくなる利点が得られる。なお、同図において、フレーム１０１、１０２とコーナー連結部材１０３との連結構造は、上記実施形態におけるフレーム１，２とコーナー連結部材３との連結構造と基本的に同様のものである。
【００４７】
また、本発明のフレーム連結構造は、図１０に示すように、フレーム２０１、２０２及びコーナー連結部材２０３を一対の脚柱ｙ１、両脚柱ｙ１間を連結する横架材ｙ２、及び横架材ｙ２と各脚柱ｙ１の間に配置されるコーナー連結部材２０３として用いて脚体ｙや当該脚体ｙを有するテーブル等の家具を構成することができる。フレーム２０１、２０２とコーナー連結部材２０３との連結構造は、上記実施形態におけるフレーム１，２とコーナー連結部材３との連結構造と基本的に同様のものである。
【００４８】
その他、本発明のフレーム連結構造を扉その他の枠体のフレーム連結に適用したり、本発明のフレーム連結構造によってアングル状あるいはクランク状の接合体を構成したり、かかる接合体やこれに準じた接合部を有する扉、デスク、棚その他の種々の家具を構成するなど、本発明の趣旨を逸脱しない範囲で種々変形が可能である。
【図面の簡単な説明】
【００４９】
【図１】本発明の一実施形態に係るフレーム連結構造が適用された家具たる収納庫を示す斜視図。
【図２】図１の正面視左上コーナー部分を一部省略して示す部分拡大斜視図。
【図３】同コーナー部分の組付け手順を示す図。
【図４】図３におけるＩＶ−ＩＶ線断面図。
【図５】同Ｖ−Ｖ線部分断面図。
【図６】同ＶＩ−ＶＩ線断面図。
【図７】同ＶＩＩ−ＶＩＩ線部分断面図。
【図８】前記コーナー部分における組付け状態を示す正断面図。
【図９】本発明のフレーム連結構造の変形例を示す図。
【図１０】本発明のフレーム連結構造に関する他の適用例である脚体及びテーブルを示す斜視図。
【符号の説明】
【００５０】
１、２…フレーム
３…コーナー連結部材
４…締め付け手段
５…位置決め手段
１１、２１…傾斜端面
１２、２２、３１ｃ…前面
１３、２３、３１ｄ…側面
１４ａ、ａ９ｘ…内表面
３１…張り出し片
３１ａ、３１ｂ…傾斜端面
３２、３３…突起
３２ａ、３３ａ…外表面
ａ６、ａ７…空洞
ｘ…枠体
ｘ１…縦枠材
ｘ２…横枠材
ｖ１…第１ねじ要素
ｖ２…第２ねじ要素
【図１】
2005163303.tif 000003
【図２】
2005163303.tif 000004
【図３】
2005163303.tif 000005
【図４】
2005163303.tif 000006
【図５】
2005163303.tif 000007
【図６】
2005163303.tif 000008
【図７】
2005163303.tif 000009
【図８】
2005163303.tif 000010
【図９】
2005163303.tif 000011
【図１０】
2005163303.tif 000012